(57)【要約】【課題】真下から偏心した床面や、壁部を効率よく照明できる照明器具を提供する。【解決手段】電球型ＬＥＤランプ３０は、ＬＥＤ光源３１から照射される照射方向が、口金３４の軸心に対して傾斜状態又は垂直状態になるように、ＬＥＤ光源３１が斜めに取り付けられている。さらに、電球型ＬＥＤランプ３０は、ＬＥＤ光源３１を回転させる台座３５を有するので、台座３５を回転させることにより、ＬＥＤ光源３１から照射される光の照射方向は、所望の方向へ向けることができる。そして、ソケット２１が、器具本体２０の筒状部２３における所定の内面側へ偏り、かつ、器具本体２０の照射開口部２３３に直交するように器具本体２０に支持されるので、器具本体２０の筒状部２３の内部の一方の側の空間２５が大きくなる。このため、ＬＥＤ光源３１が発する光が、大きく空いた空間２５の方を向くようにすることにより、真下から偏心した床面や、壁部１３を効率よく照明できる。【選択図】図１
2013145682.tif 000002
【特許請求の範囲】
【請求項１】
ＬＥＤ光源と、前記ＬＥＤ光源を収容する透光性カバーと、前記透光性カバーを保持するランプ本体と、前記ランプ本体の透光性カバーとは反対側に設けられる口金と、を有し、前記ＬＥＤ光源から照射される照射方向が、前記口金の軸心に対して傾斜状態又は垂直状態になる電球型ＬＥＤランプと、
前記電球型ＬＥＤランプの前記口金を着脱自在に電気的に接続するソケットと、
一端側に照射開口部を有する筒状部を備え、その内側に前記ソケットを収容支持する器具本体と、を備え、
前記ソケットが、前記筒状部における所定の内面側に偏り、かつ、前記照射開口部に直交するように前記器具本体に支持される照明器具。
【請求項２】
請求項１に記載の照明器具において、
前記電球型ＬＥＤランプが、前記ＬＥＤ光源を回転させる台座を有する照明器具。
【請求項３】
請求項１または請求項２に記載の照明器具において、
前記器具本体の外形において照射方向に向かうに従って拡径する割合が、前記照射開口部から前記電球型ＬＥＤランプまでのランプ領域の方が、前記器具本体において前記ランプ領域以外のソケット領域よりも大きい照明器具。
【発明の詳細な説明】
【技術分野】
【０００１】
本発明は、電球型ＬＥＤランプを用いたダウンライト型の照明器具に関するものである。
【背景技術】
【０００２】
従来より、天井等に設けられた取付孔に取り付けて、主に下方を照明するダウンライト型の照明器具が知られている（例えば、特許文献１参照）。
図６に示すように、特許文献１に記載のダウンライト型の照明器具１００は、器具本体１０１、反射鏡１０２、反射鏡１０２を器具本体１０１に支持する支持部材１０３、反射鏡１０２の本体内に配置されるランプ１０４を有する。
【０００３】
器具本体１０１は、天板１０５および天板１０５の両端に支持脚１０６，１０６を一体に有して略逆Ｕ字の枠体に形成されている。天板１０５には、ソケット１０７が取り付けられ、器具本体１０１内に収容される。
反射鏡１０２は、上端に設けられている支持部１０８を器具本体１０１の内部に上向きに挿入し、支持部１０８をソケット１０７に外嵌して位置決めされる。同時に、反射鏡１０２は、支持部材１０３の凸部１０３Ａを、支持部１０８の穴１０８Ａに挿嵌して支持される。
【先行技術文献】
【特許文献】
【０００４】
【特許文献１】特開２００８−１０２５４号公報（第１図）
【発明の概要】
【発明が解決しようとする課題】
【０００５】
ところで、前述したような照明器具においては、主に下方を照明するものであり、用いられているランプは、３６０度全方向に光を照射するものであった。
従って、天井に取り付けて、真下から偏心した床面や、壁部を照明するには、反射鏡を天井に対して斜めに取り付けたり、ランプを斜めに取り付けたりすることが行われている。
しかしながら、このように、反射鏡やランプを斜めに取り付けて，壁方向を照明するのは、照明効率が悪いという問題があった。
【０００６】
本発明は、従来の問題を解決するためになされたもので、真下から偏心した床面や、壁部を効率よく照明できる照明器具を提供することを目的とする。
【課題を解決するための手段】
【０００７】
本発明の照明器具は、ＬＥＤ光源と、前記ＬＥＤ光源を収容する透光性カバーと、前記透光性カバーを保持するランプ本体と、前記ランプ本体の透光性カバーとは反対側に設けられる口金と、を有し、前記ＬＥＤ光源から照射される照射方向が、前記口金の軸心に対して傾斜状態又は垂直状態になる電球型ＬＥＤランプと、前記電球型ＬＥＤランプの前記口金を着脱自在に電気的に接続するソケットと、一端側に照射開口部を有する筒状部を備え、その内側に前記ソケットを収容支持する器具本体と、を備え、前記ソケットが、前記筒状部における所定の内面側に偏り、かつ、前記照射開口部に直交するように前記器具本体に支持されるものである。
【０００８】
また、本発明の照明器具は、前記電球型ＬＥＤランプが、前記ＬＥＤ光源を回転させる台座を有するものである。
【０００９】
さらに、本発明の照明器具は、前記器具本体の外形において照射方向に向かうに従って拡径する割合が、前記照射開口部から前記電球型ＬＥＤランプまでのランプ領域の方が、前記器具本体において前記ランプ領域以外のソケット領域よりも大きいものである。
【発明の効果】
【００１０】
本発明では、電球型ＬＥＤランプは、ＬＥＤ光源から照射される照射方向が、口金の軸心に対して傾斜状態又は垂直状態になるように、ＬＥＤ光源が斜めに取り付けられている。また、電球型ＬＥＤランプは、ＬＥＤ光源を回転させる台座を有するので、台座を回転させることにより、ＬＥＤ光源から照射される光の照射方向は、所望の方向へ向けることができる。そして、ソケットが、器具本体の筒状部における所定の内面側へ偏り、かつ、器具本体の照射開口部に直交するように器具本体に支持されるので、器具本体の筒状部の内部の一方の側の空間が大きくなる。このため、ＬＥＤ光源が発する光が、大きく空いた空間の方を向くようにすることにより、真下から偏心した床面や、壁部を効率よく照明できるという効果を有する照明器具を提供できる。
【図面の簡単な説明】
【００１１】
【図１】本発明に係る実施形態の照明器具の断面図
【図２】本発明に係る実施形態の照明器具の分解斜視図
【図３】（Ａ）はＬＥＤ電球の側面図であり、（Ｂ）は断面図
【図４】ＬＥＤ電球の別の例を示す側面図
【図５】（Ａ）は本発明に係る実施形態の照明器具による配光状態を示す説明図であり、（Ｂ）は従来の照明器具による配光状態を示す説明図
【図６】（Ａ）は従来のダウンライト型の照明器具の断面図であり、（Ｂ）は（Ａ）中Ｂ方向から見た側面図であり、（Ｃ）は（Ａ）中Ｃ方向から見た側面図
【発明を実施するための形態】
【００１２】
以下、本発明に係る実施形態の照明器具について、図面を用いて説明する。
図１に示すように、本発明に係る実施形態の照明器具１０は、被取付部である天井１１に設けられている取付孔１２に取り付けて、主に下方や壁部１３（図５（Ａ）参照）等を照明するウォールウォッシャー型のダウンライトとして用いることができる。
【００１３】
図１および図２に示すように、照明器具１０は、取付孔１２に取り付けられる器具本体２０と、器具本体２０の内部に取り付けられるソケット２１と、ソケット２１に装着されるＬＥＤ電球（電球型ＬＥＤランプ）３０を有する。
【００１４】
器具本体２０は、円板形状の天板２２と、天板２２の外周部から下方に延びる円錐台形状の筒状部２３を有する。筒状部２３は、周壁の傾斜角度が異なる上筒部２３１と下筒部２３２を有する。下筒部２３２は、上筒部２３１に比べて、下方へ向かって拡径する度合いが大きい。
従って、上筒部２３１の周壁の傾きは、下筒部２３２の周壁の傾きよりも鉛直に近い。
【００１５】
下筒部２３２の下端は下方に開口（照射開口部２３３）しており、照射開口部２３３には外向きに水平に突出する鍔部２４が設けられている。鍔部２４は、器具本体２０を取付孔１２に取り付けた状態で、天井１１の下面に当接して露出する。
このため、器具本体２０において下端の照射開口部２３３からＬＥＤ電球３０までのランプ領域Ｒ１の方が、ランプ領域Ｒ１以外のソケット領域Ｒ２よりも下方へ向かって拡径する割合が大きくなっている。
なお、筒状部２３は、上述したような円形断面のほか、多角形断面でも良い。
【００１６】
ソケット２１は、器具本体２０の中心（中心線ＣＬ）から、所定の内面側、すなわち、照明したい壁部１３（図５（Ａ）参照）と反対側に偏心して、鉛直（照射開口部２３３に直交）方向に取り付けられる。
図３に示すように、ＬＥＤ電球３０は、ＬＥＤ（ＬＥＤ光源）３１と、ＬＥＤ３１を収容する透光性カバー３２と、透光性カバー３２を回転可能に保持するランプ本体３３と、ランプ本体３３に取り付けられる口金３４を有する。口金３４は、ソケット２１にねじ込まれて、点灯電力の供給を受ける。
【００１７】
ランプ本体３３は、口金３４側である上端から下端に向かって直線的に拡径したテーパ面を有しており、円錐台形状を呈している。
なお、図４に示すように、本発明では、ランプ本体３３Ｂが、直線的ではなく、内側に凹んだ曲線形状で拡径するＬＥＤ電球３０Ｂの場合も含む。
また、本発明は、ランプ本体のテーパ面に放熱フィンが設けられたＬＥＤ電球にも適用可能である。
以下の説明においては、図３に示すＬＥＤ電球３０を用いる場合について説明する。
【００１８】
ランプ本体３３の下側には、後側（ＬＥＤ３１の照射方向と反対側）に後壁３６が設けられており、後壁３６の前部には支持壁３６１が傾斜して設けられている。支持壁３６１には、台座３５が回転可能に支持されており、台座３５には、ＬＥＤ３１が取り付けられている。なお、ここでは、ＬＥＤ３１は、台座３５に対して傾斜して取り付けられている。
従って、ＬＥＤ３１は、斜め方向に光を照射することになる。このため、ＬＥＤ電球３０の照射方向は、真下である口金３４の軸心ＣＬ１方向に対して、傾斜状態又は垂直状態となる（図３（Ａ）中矢印Ａ参照）。
【００１９】
台座３５は回転軸３５１を有しており、回転軸３５１は、後壁３６の支持壁３６１に、回転可能に支持されている。台座３５には、ＬＥＤ３１を収容する透光性カバー３２が一体的に取り付けられている。
従って、透光性カバー３２を持って、台座３５の回転軸３５１の中心線ＣＬ２回りに回転させることにより、台座３５が後壁３６の支持壁３６１に対して回転する。これにより、ＬＥＤ３１が透光性カバー３２と一体で回転するので、ＬＥＤ３１の照射方向が変わる。
【００２０】
図５（Ａ）には、上述したＬＥＤ電球３０により、下方および壁部１３を照明する状態が示されている。上述したＬＥＤ電球３０では、ＬＥＤ３１から照射される照射方向は、器具本体２０の中心線ＣＬおよび口金３４の軸心ＣＬ１に対して傾斜しており、壁部１３に向かって光を照射するようにＬＥＤ電球３０を装着する。
このとき、ソケット２１が、器具本体２０内部において、照射部位である壁部１３から遠い側に偏心して取り付けられているので、ＬＥＤ電球３０の照射側に広い空間２５が設けられている。
これにより、照明器具１０の下方および壁部１３を効率よく照射することができる。なお、透光性カバー３２を回転させることにより、照射方向を微調整できるので、一層効率よく照射することができる。
【００２１】
一方、図５（Ｂ）に示すように、３６０度全方向に光を照射するＬＥＤ電球３０Ｃを用いた場合には、ＬＥＤ電球３０Ｃの下方を広く照明するので、壁部１３を照明したい場合には、光が広範囲に分散して、適さないといえる。
【００２２】
以上、説明した本発明に係る実施形態の照明器具１０によれば、ＬＥＤ電球３０は、ＬＥＤ３１から照射される照射方向が、口金３４の軸心ＣＬ１に対して傾斜状態又は垂直状態になるように、ＬＥＤ３１が斜めに取り付けられている。
さらに、ＬＥＤ電球３０は、ＬＥＤ３１を回転させる台座３５を有するので、台座３５を回転させることにより、ＬＥＤ３１から照射される光の照射方向は、所望の方向へ向けることができる。
【００２３】
そして、ソケット２１が、器具本体２０の筒状部２３において照射方向と反対側の内面側へ偏り、かつ、器具本体２０の照射開口部２３３に直交するように器具本体２０に支持されるので、器具本体２０の筒状部２３の内部の一方の側の空間２５が大きくなる。このため、ＬＥＤ３１が発する光が、大きく空いた空間２５の方を向くようにすることにより、真下から偏心した床面や、壁部１３を効率よく照明できる。
また、台座３５を回転させることによりＬＥＤ３１の向きを調整できるので、レイアウトの変更や調整を容易にできる。
さらに、ソケット２１を器具本体２０の中心ではなく、一方に偏らせたので、手が入り易く、施工性が向上する。
【００２４】
また、器具本体２０の外形において下方に向かうに従って拡径する割合が、照射開口部２３３からＬＥＤ電球３０までのランプ領域Ｒ１の方が、器具本体２０においてランプ領域Ｒ１以外のソケット領域Ｒ２よりも大きい。
このため、照射開口部２３３の外径が最も大きくなるので、ＬＥＤ電球３０からの光を，効率よく照射することができる。また、ＬＥＤ電球３０の着脱作業を容易に行うことができる。また、ソケット領域Ｒ２の外形が小さくなるので、材料費を削減してコストダウンを図ることができる。
【００２５】
なお、本発明の照明器具１０は、前述した実施形態に限定されるものでなく、適宜な変形，改良等が可能である。
例えば、前述した実施形態においては、後壁３６をランプ本体３３に対して固定して設け、台座３５を後壁３６に対して回転可能に設けた場合を例示したが、後壁３６をランプ本体３３に対して回転可能に設けることもできる。この場合には、ランプ本体３３と後壁３６との間に台座３５を回転可能に設けるようにする。
これにより、ＬＥＤ電球３０をソケット２１に装着した際に、ＬＥＤ３１の照射方向が壁部１３からずれて所望の方向でない場合には、透光性カバー３２を回転させることにより、容易に、照射方向を所望の方向に向けることができる。
【００２６】
また、前述した実施形態においては、床面および壁部１３等を照明する場合を例示したが、このほか、以下のような場合にも、有効に用いることができる。例えば、洗面台等に設けて使用者の顔を重点的に照明する場合や、階段の上方に設けて段差をはっきり照明する場合や、寝室に設けて隣の人に眩しくないように照明する場合等に用いることもできる。
【符号の説明】
【００２７】
１０  照明器具
２０  器具本体
２１  ソケット
２３  筒状部
２３３  照射開口部
３０  ＬＥＤ電球（電球型ＬＥＤランプ）
３１  ＬＥＤ（ＬＥＤ光源）
３２  透光性カバー
３３  ランプ本体
３４  口金
３５  台座
Ｒ１  ランプ領域
Ｒ２  ソケット領域
ＣＬ１  軸心
【図１】
2013145682.tif 000003
【図２】
2013145682.tif 000004
【図３】
2013145682.tif 000005
【図４】
2013145682.tif 000006
【図５】
2013145682.tif 000007
【図６】
2013145682.tif 000008